(57)【要約】【課題】近年では、情報伝達の手段としてインターネット環境が整備され電子メールなども広く用いられるが、情報セキュリティ上の要請からファクシミリを利用して情報を送信する業態がなお存在している。しかし、ファクシミリの送信にあたり、送信先のファクシミリ番号の変更等によって間違った宛先に送信され誤送信となる可能性が残されている。【解決手段】第三者の承認を得てファクシミリ送信を行うファクシミリ送信システムにおいて、仮送信と本送信の二段階に分けて送信し、受信先に予め配布した電子証明書と共に送信元のサーバにアクセスさせることで、送信先を確実に認証することができる。その結果、ファクシミリの誤送信を防止することができる。【選択図】図１
2012054690.tif 000002
【特許請求の範囲】
【請求項１】
ユーザから受け付けた宛先に送信原稿を送信する前に、当該宛先に対応する受信側装置に、当該受信側装置の電子証明書を返送させるための情報を埋め込んだ仮送信文書を生成しファクシミリで送信するコンテンツ生成部と、
自装置に登録された宛先に、電子証明書を送信しておく証明書管理部と、を備える送信側装置と、
前記仮送信文書を受信すると、送信元の送信側装置に対し、自装置の電子証明書を返送する受信側装置と、を含み、
前記送信側装置は、前記受信側装置から返送された電子証明書により、宛先の正当性を確認できた場合、当該宛先に送信原稿をファクシミリで送信する、
ことを特徴とするファクシミリ送信システム。
【請求項２】
前記仮送信文書の本文部分に、仮送信であることを示す情報が含まれており、
前記受信側装置は、本文部分に、仮送信であることを示す情報が含まれている場合に、前記送信側装置に対し、電子証明書を返送する請求項１のファクシミリ送信システム。
【請求項３】
前記仮送信文書は、前記送信側装置にアクセスするためのワンタイムＵＲＬを含み、前記電子証明書の返送は、前記受信側装置がワンタイムＵＲＬにアクセスすることによって行われる請求項１又は２のファクシミリ送信システム。
【請求項４】
前記ワンタイムＵＲＬは、２次元バーコードに変換されている請求項３のファクシミリ送信システム。
【請求項５】
前記証明書管理部は、電子証明書の送付履歴と、前記受信側装置から受信した電子証明書の内容と、を照合し、宛先の正当性を確認する、
請求項１から４のいずれか一に記載のファクシミリ送信システム。
【請求項６】
ユーザから受け付けた宛先に送信原稿を送信する前に、当該宛先に電子証明書を返送させるための情報を埋め込んだ仮送信文書を生成する工程と、
前記仮送信文書をファクシミリで送信する工程と、
前記仮送信文書を受信すると、送信元の装置に対し、予め配布された自装置の電子証明書を返送する工程と、
前記電子証明書により、宛先の正当性を確認する証明書管理工程と、
前記宛先の正当性が確認できた場合、当該宛先に送信原稿をファクシミリで送信する工程と、
を含むことを特徴とするファクシミリ送信方法。
【請求項７】
ユーザから受け付けた宛先に送信原稿を送信する前に、当該宛先に電子証明書を返送させるための情報を埋め込んだ仮送信文書を生成する処理と、
前記仮送信文書をファクシミリで送信する処理と、
前記仮送信文書の宛先の装置から受信した電子証明書により、宛先の正当性を確認する証明書管理処理と、
前記宛先の正当性が確認できた場合、当該宛先に送信原稿をファクシミリで送信する処理と、
をファクシミリ装置を構成するコンピュータに実行させることを特徴とするプログラム。
【請求項８】
ファクシミリの送信元に電子証明書を返送させるための情報を埋め込んだ仮送信文書を受信すると、前記仮送信文書から、前記ファクシミリの送信元に電子証明書を返送させるための情報を検出する処理と、
前記ファクシミリの送信元に電子証明書を返送させるための情報を用いて、電子証明書を返送する処理と、
をファクシミリ装置を構成するコンピュータに実行させることを特徴とするプログラム。
【請求項９】
ユーザから受け付けた宛先に送信原稿を送信する前に、当該宛先に対応する受信側装置に、当該受信側装置の電子証明書を返送させるための情報を埋め込んだ仮送信文書を生成しファクシミリで送信するコンテンツ生成部と、
自装置に登録された宛先に、電子証明書を送信しておく証明書管理部と、を備えるファクシミリ送信装置。
【請求項１０】
ユーザから受け付けた宛先に送信原稿を送信する前に、当該宛先に対応する受信側装置に、当該受信側装置の電子証明書を返送させるための情報を埋め込んだ仮送信文書を受信すると、送信元の送信側装置に対し、自装置の電子証明書を返送するファクシミリ受信装置。
【発明の詳細な説明】
【技術分野】
【０００１】
本発明は、ファクシミリ送受信システム、ファクシミリ送受信装置、その送信方法及びプログラムに関する。特に、送信データの誤送信を防止するためのファクシミリ送受信システム、その送受信方法及びプログラムに関する。
【背景技術】
【０００２】
近年では、情報伝達の手段としてインターネット環境が整備され電子メールなども広く用いられるが、情報セキュリティ上の要請からファクシミリを利用して情報を送信する業態がなお存在している。そのファクシミリの送信においても、番号ボタンの押し間違いや送信先がファクシミリ内に登録されていた場合であっても相手先の番号の変更などによって、ファクシミリの誤送信が起きる可能性がある。
【０００３】
このようなファクシミリの誤送信は、情報漏洩など重大な損害を引き起こすため、情報セキュリティの観点から、誤送信を防止するための種々の対策が必要とされる。ファクシミリ誤送信防止のためのシステムとして、特許文献１においてはファクシミリ送信に先立ち送信先に原稿の送信が行われることを通知し、その通知を受けた受信者は予め配布されたパスワードを使って送信元のサーバにアクセスし、原稿の送信を要求するシステムが開示されている。
【０００４】
また、特許文献２乃至４においても、原稿の送信に先立ち仮送信を行うシステムが開示され、特許文献５では原稿をファクシミリで受信するか、インターネット上のデータとして参照するか、を選択するシステムが開示されている。
【先行技術文献】
【特許文献】
【０００５】
【特許文献１】特開２００６−２５３９５９号公報
【特許文献２】特開２００７−１６６４７３号公報
【特許文献３】特開２００７−３２５１６８号公報
【特許文献４】特開２００８−１２４６６２号公報
【特許文献５】特許第３０１３７８８号公報
【発明の概要】
【発明が解決しようとする課題】
【０００６】
以下の分析は、本発明の観点からなされたものである。
【０００７】
上述のように、セキュリティ上の懸念から、ファクシミリ送信にあたり、その誤送信を防止するための様々なシステム等が考えられてきた。誤送信防止のための解決手段として、顧客データベースなるものを構築して当該データベースにアクセスし、許可された宛先であることを確認した上で送信することなどが行われている。
【０００８】
しかし、このような手段を利用したとしても、当該データベースに登録された相手先のファクシミリ番号が最新であるかは保証されていないため、ファクシミリ番号の変更等によって間違った宛先に送信され誤送信となる可能性が残されている。
【０００９】
また、特許文献１で開示されたシステムにおいては、ファクシミリを受信しようとするユーザ自身が予め配布されたパスワードを用いて、自らが正しい送信先であることをファクシミリ送信側に伝える必要がある。そのため、通常のファクシミリ受信であればユーザが関与することが無いにも関わらず、煩雑な操作をユーザに要求することになる。特許文献２〜５の技術も同様に、確認ＩＤの入力や確認依頼原稿の返送といった一定の操作を要求するものとなっている。
【００１０】
以上のとおり、従来技術には、解決すべき問題点が存在する。
【００１１】
本発明の一側面において、ファクシミリ送信システムにおいて、煩雑な操作を必要とせず、正当な宛先に送信可能なファクシミリ送信システム、ファクシミリ送信装置、ファクシミリ受信装置、ファクシミリ送信方法及びプログラムが、望まれる。
【課題を解決するための手段】
【００１２】
本発明の第１の視点によれば、ユーザから受け付けた宛先に送信原稿を送信する前に、当該宛先に対応する受信側装置に、当該受信側装置の電子証明書を返送させるための情報を埋め込んだ仮送信文書を生成しファクシミリで送信するコンテンツ生成部と、自装置に登録された宛先に、電子証明書を送信しておく証明書管理部と、を備える送信側装置と、前記仮送信文書を受信すると、送信元の送信側装置に対し、自装置の電子証明書を返送する受信側装置と、を含み、前記送信側装置は、前記受信側装置から返送された電子証明書により、宛先の正当性を確認できた場合、当該宛先に送信原稿をファクシミリで送信する、ファクシミリ送信システムが提供される。
【００１３】
本発明の第２の視点によれば、ユーザから受け付けた宛先に送信原稿を送信する前に、当該宛先に電子証明書を返送させるための情報を埋め込んだ仮送信文書を生成する工程と、前記仮送信文書をファクシミリで送信する工程と、前記仮送信文書を受信すると、送信元の装置に対し、予め配布された自装置の電子証明書を返送する工程と、前記電子証明書により、宛先の正当性を確認する証明書管理工程と、前記宛先の正当性が確認できた場合、当該宛先に送信原稿をファクシミリで送信する工程と、を含むファクシミリ送信方法が提供される。
【００１４】
本発明の第３の視点によれば、ユーザから受け付けた宛先に送信原稿を送信する前に、当該宛先に電子証明書を返送させるための情報を埋め込んだ仮送信文書を生成する処理と、前記仮送信文書をファクシミリで送信する処理と、前記仮送信文書の宛先の装置から受信した電子証明書により、宛先の正当性を確認する証明書管理処理と、前記宛先の正当性が確認できた場合、当該宛先に送信原稿をファクシミリで送信する処理と、をファクシミリ装置を構成するコンピュータに実行させるプログラムが提供される。
【００１５】
本発明の第４の視点によれば、ファクシミリの送信元に電子証明書を返送させるための情報を埋め込んだ仮送信文書を受信すると、前記仮送信文書から、前記ファクシミリの送信元に電子証明書を返送させるための情報を検出する処理と、前記ファクシミリの送信元に電子証明書を返送させるための情報を用いて、電子証明書を返送する処理と、をファクシミリ装置を構成するコンピュータに実行させるプログラムが提供される。
【００１６】
本発明の第５の視点によれば、ユーザから受け付けた宛先に送信原稿を送信する前に、当該宛先に対応する受信側装置に、当該受信側装置の電子証明書を返送させるための情報を埋め込んだ仮送信文書を生成しファクシミリで送信するコンテンツ生成部と、自装置に登録された宛先に、電子証明書を送信しておく証明書管理部と、を備えるファクシミリ送信装置が提供される。
【００１７】
本発明の第６の視点によれば、ユーザから受け付けた宛先に送信原稿を送信する前に、当該宛先に対応する受信側装置に、当該受信側装置の電子証明書を返送させるための情報を埋め込んだ仮送信文書を受信すると、送信元の送信側装置に対し、自装置の電子証明書を返送するファクシミリ受信装置が提供される。
【発明の効果】
【００１８】
本発明の各視点によれば、ファクシミリ送信を行うファクシミリ誤送信防止システムにおいて、送信先が正当な宛先であることを確認して送信するシステムが提供される。
【図面の簡単な説明】
【００１９】
【図１】本発明の概要を説明するための図である。
【図２】本発明の第１の実施形態のファクシミリ送信システム全体のブロック図である。
【図３】図２のサーバの内部構成を示すブロック図の一例である。
【図４】原稿の登録から本送信までの処理を示すフローチャートである。
【図５】顧客データベース３２１の一例である。
【図６】送信管理データベース３２２の一例である。
【図７】承認者データベース３２３の一例である。
【図８】仮送信文書の一例である。
【発明を実施するための形態】
【００２０】
続いて、本発明のとり得る好適な実施形態について図面を参照して詳細に説明する。
【００２１】
はじめに、図１を用いて本発明の概要について説明する。ファクシミリの送信を行いたい者は送信側装置に送信したい原稿の登録を行う。送信側装置では、原稿の本送信に先立ち仮送信文書の送信を行う。この仮送信文書には、受信側装置が送信側装置にアクセスするための情報が含まれる。仮送信文書の作成はコンテンツ生成部において行う。送信側装置は公衆回線網を介して受信側装置に上記仮送信文書を送信する。
【００２２】
受信側装置ではこの仮送信文書を受信すると、仮送信文書の中に含まれる送信側装置にアクセスするための情報を用いて送信側装置にアクセスし、予め配布された電子証明書を返送する。
【００２３】
送信側装置では、この電子証明書の内容と予め記録された送信先の情報とを、証明書管理部において検証し、送信先が正当なものであると判断されれば既に登録された原稿を送信する。このように、仮送信と本送信を使いファクシミリの誤送信の防止が実現される。
【００２４】
［第１の実施形態］
次に、本発明の第１の実施形態について、図２を用いてより詳細に説明する。本実施形態に係るファクシミリ送信システムは、ファクシミリ送信を行う送信元システム１と、ファクシミリを受信する送信先システム２と、ファクシミリを送信する回線である公衆回線網３と、インターネット回線４から構成される。
【００２５】
送信元システム１は、担当者ＰＣ（Ｐｅｒｓｏｎａｌ  Ｃｏｍｐｕｔｅｒ）１０と、承認者ＰＣ２０と、サーバ３０と、複合機４０を備え、それぞれがネットワークを介して接続されている。送信先システム２は、受信用ＰＣ５０と、複合機６０とを備え、それぞれがネットワークを介して接続されている。また、送信元システム１と送信先システム２は公衆回線網３及びインターネット回線４を介して接続されている。
【００２６】
担当者ＰＣ１０は、ファクシミリ送信を行う担当者が利用するＰＣであって、担当者が送信原稿を作成し、原稿をＴＩＦＦ（Ｔａｇｇｅｄ  Ｉｍａｇｅ  Ｆｉｌｅｓ  Ｆｏｒｍａｔ）ファイルなどの画像に変換する仮想プリンタドライバを有している。さらに担当者ＰＣ１０はサーバ３０にアクセスして送信原稿画像をサーバ３０に登録するとともに、承認者及び送信先顧客を選択し決定することができる。
【００２７】
承認者ＰＣ２０は、担当者により選択された承認者が利用するＰＣである。承認者は承認者ＰＣ２０を利用して、サーバ３０から送信されてくる承認依頼メールに基づき、宛先と送信原稿の内容を参照してサーバ登録されたファクシミリ送信原稿の承認を行う。
【００２８】
次に、サーバ３０の一構成例について詳細に説明する。図３はサーバ３０の内部構成例である。サーバ３０は、制御部３１、記憶部３２、通信部３３から構成される。
【００２９】
制御部３１では、顧客データベースの管理、電子証明書の管理、複合機への画像送信指示などの制御を行い、記憶部３２では、データベースの保存や画像の保存を行う。通信部３３はネットワークを経由して外部装置と情報の交換を行う。
【００３０】
制御部３１は、コンテンツ生成部３１１と証明書管理部３１２と送信管理部３１３から構成される。これらは、通信部３３を経由して、担当者ＰＣ１０、承認者ＰＣ２０、複合機６０とそれぞれ通信を行うことができる。
【００３１】
コンテンツ生成部３１１は、担当者ＰＣ１０からファクシミリ送信原稿の登録を受け付け、さらに、担当者に送信先を選択させる機能と、承認者が内容確認後、承認者ＰＣ２０から承認を受け付ける機能と、受信用ＰＣ５０からサーバ３０にアクセスさせるためのワンタイムＵＲＬ（Ｕｎｉｆｏｒｍ  Ｒｅｓｏｕｒｃｅ  Ｌｏｃａｔｏｒ）を生成する機能を有する。送信管理部３１３は、複合機４０に対するファクシミリの送信指示及び仮送信のための仮送信文書作成機能、及び承認者ＰＣ２０に対して承認依頼メールを送信する機能を有する。証明書管理部３１２は、クライアント認証するためのプライベート認証局機能、電子証明書が正当なものか否かの照合機能を有する。
【００３２】
記憶部３２は、ファクシミリ送信先の顧客名称やファクシミリ番号などの顧客情報を含む顧客データベース３２１（図５参照）と、送信画像データや承認情報などの送信管理情報を含む送信管理データベース３２２（図６参照）と、承認者情報が登録された承認者データベース３２３（図７参照）を有する。
【００３３】
なお、外部にサーバを公開するにあたってはＤＭＺ（ＤｅＭｉｌｉｔａｒｉｚｅｄ  Ｚｏｎｅ）を置いてサーバを配置することや、ファイアウォールの設置などが、セキュリティを確保するために行われるが、発明の実施とは無関係のため社内ＬＡＮ（Ｌｏｃａｌ  Ａｒｅａ  Ｎｅｔｗｏｒｋ）に一様に接続されているものとする。
【００３４】
複合機６０は、送信元システム１から送られてきたファクシミリを受信する機能、及び受信したファクシミリを画像データとして受信用ＰＣ５０に転送する機能を有する。受信用ＰＣ５０は、複合機６０から転送された画像データを受信し蓄積する。
【００３５】
また、受信用ＰＣ５０は複合機６０から受信した当該画像データにＱＲコード（登録商標）が記載されているかを確認し、そのＱＲコード（登録商標）からサーバ３０の特定サイトにアクセスするためのＵＲＬを抽出して、当該ＵＲＬを有するウェブサイトにアクセスする機能を有する。さらに、自動的にアクセスするか、若しくはユーザに接続の確認を求めるかといった設定をする機能も有する。なお、サーバ３０のウェブサイトアクセスにあたっては、クライアント認証を行うため予め登録されている電子証明書を使用して通信を行う。
【００３６】
次に、図４を参照して本発明の実施例の動作について詳細に説明する。
【００３７】
担当者はファクシミリ送信に先立ち、クライアント認証を行うため顧客ごとにサーバ３０の証明書管理部３１２の認証局機能を利用してプライベートな電子証明書を発行し、予め顧客に配布をしておく。この発行情報は顧客データベース３２１に登録する必要がある。ただし、この電子証明書の事前配布及び顧客データベース３２１への登録はファクシミリ送信毎に行う必要はなく電子証明書が有効な間に一度実施しておけばよい。
【００３８】
図５においてＡＡＡ通信社には電子証明書を発行済みである場合の例を説明する。顧客データベース３２１における顧客ＩＤが０００１である行の顧客名フィールドにはＡＡＡ通信社が登録されており、証明書発行先名（Ｃｏｍｍｏｎ  Ｎａｍｅ）フィールドにおいても、ＡＡＡ通信社を意味するＡＡＡが登録されている。また、証明書発行者名には、ＡＡＡ通信社に電子証明書を発行したＸＸＸ社を意味するＸＸＸが登録されている。
【００３９】
以降、実際のファクシミリ送信の動作を説明する。担当者は、担当者ＰＣ１０の仮想プリンタドライバに対して用意した原稿の印刷を実行し、原稿の内容をＴＩＦＦファイルなどの画像に変換する。次に、担当者は、担当者ＰＣ１０からサーバ３０のコンテンツ生成部３１１により生成される画面を参照してこの画像ファイルを登録する（ステップＳ１）。
【００４０】
次に、担当者は宛先及び承認者を選択して送付状を作成する（ステップＳ２）。このときサーバ３０では承認者データベース３２３を参照して承認者を、顧客データベース３２１を参照して顧客情報を表示する。
【００４１】
担当者が原稿内容と送付先を確定すると、サーバ３０の送信管理部３１３は承認者ＰＣ２０に承認依頼のメールを送付する（ステップＳ３）。この承認依頼のメールにはコンテンツ生成部３１１により生成されるＵＲＬが記載され、当該ＵＲＬを送信管理データベース３２２の承認用ＵＲＬフィールドに登録する。承認用ＵＲＬとは、担当者が作成したファクシミリの内容及び送付先を承認者がサーバにアクセスし、確認するためのものである。本実施形態においては、図６の１行目、承認用ＵＲＬフィールドに登録する。
【００４２】
次に、メールを受信した承認者は上記承認用ＵＲＬにアクセスして担当者が作成した原稿内容と宛先に問題がないか確認し、問題がなければ承認する（ステップＳ４）。図６においては、承認者としてＱ部長が選択されており、２００９／１／１  １２：００に承認されていることが分かる。
【００４３】
承認を受けたサーバ３０は、顧客にアクセスさせるためのウェブサイトのＵＲＬとそのコンテンツをコンテンツ生成部３１１により生成し、当該ＵＲＬを送信管理データベース３２２のアクセスＵＲＬに登録する（図６の１行目、アクセスＵＲＬフィールド参照）。
【００４４】
続いて、サーバ３０の送信管理部３１３は仮送信をするための仮送信文書を作成する。当該原稿には、仮送信であることを示す本文と、顧客にアクセスさせるウェブサイトＵＲＬをＱＲコード（登録商標）などのパターンにエンコードした図形（図８参照）が記載される（ステップＳ５）。なお、本実施例ではＱＲコード（登録商標）を用いて説明しているが、バーコードであってもよく、ＵＲＬの情報がエンコード可能であり、送信先でデコードできるものであれば足りる。
【００４５】
作成した原稿はＨＴＴＰ（Ｈｙｐｅｒ  Ｔｅｘｔ  Ｔｒａｎｓｆｅｒ  Ｐｒｏｔｏｃｏｌ）などのプロトコルを用いて指定顧客のファクシミリ番号と画像の情報を複合機４０に伝達し、複合機４０からファクシミリ送信を指示する（ステップＳ６）。
【００４６】
当該送信指示を受けた複合機４０は当該画像で指定された送信先に対してファクシミリ送信を行う（ステップＳ７）。
【００４７】
複合機６０は複合機４０からファクシミリを受信すると、受信したファクシミリをＴＩＦＦなどの画像形式に変換し、受信用ＰＣ５０に転送する（ステップＳ８）。
【００４８】
当該画像を受信した受信用ＰＣ５０は、その画像の中からＱＲコード（登録商標）を探し出し、ＱＲコード（登録商標）があれば、ＱＲコード（登録商標）の復号を実行し、アクセスＵＲＬに変換する（ステップＳ９）。
【００４９】
受信用ＰＣ５０では、このアクセスＵＲＬを使用して、送信元のサーバ３０にアクセスする（ステップＳ１０）。なお、ここまでの受信用ＰＣ５０での動作はユーザの操作を必要とせず、自動的に行われるものである。ただし、受信用ＰＣ５０に設定をすることにより、ユーザの確認を必要とすることもできる。
【００５０】
この受信用ＰＣ５０からのアクセスを受けたサーバ３０のコンテンツ生成部３１１は、受信用ＰＣ５０に対してクライアント認証するため電子証明書を要求する。そして、受信用ＰＣ５０から電子証明書を入手すると、コンテンツ生成部３１１から証明書管理部３１２に対して証明書とアクセスＵＲＬの照合を要求する。
【００５１】
上記要求を受けた証明書管理部３１２は、電子証明書が改竄されていないか確認する。さらに加えて、送信管理データベース３２２に記録された当該アクセスＵＲＬから顧客ＩＤを特定し、当該電子証明書の情報と、顧客データベース３２１に記録されている証明書発行者名及び証明書発行先名（ＣＮ）と、を比較する。比較した結果、同じ情報であれば顧客の正当性が証明できたとして、顧客の認証作業を終了する（ステップＳ１１）。具体的には、図６の１行目のアクセスＵＲＬに受信用ＰＣがアクセスしていることから顧客ＩＤとして０００１を決定する。その結果、図５の顧客データベース３２１から顧客ＩＤとして０００１をもつ証明書発行者名はＸＸＸであると定まる。同時に、送信先の証明書発行先名もＡＡＡと定まる。そして、受信用ＰＣ５０から受信した電子証明書の証明書発行者名及び証明書発行先名がＸＸＸ及びＡＡＡであれば正当な送信先であると認証する。
【００５２】
そして、顧客の正当性が確認出来た場合にのみ、本送信を行うことになる。本送信にあたっては、担当者によりステップＳ１で既に登録されている送信状と送信原稿をもって、仮送信と同様の手段で複合機６０に対する送信指示が送信管理部３１３により行われる（ステップＳ１２）。
【００５３】
指示を受けた複合機４０は送信先の複合機６０に仮送信時と同様の方法でファクシミリ送信する（ステップＳ１３）。
【００５４】
複合機６０は、受信した原稿の画像を仮送信時と同様の方法で受信用ＰＣ５０に転送する（ステップＳ１４）。以上でファクシミリ送信が完了する。
【００５５】
このように、第三者の承認を得てファクシミリ送信を行うファクシミリ送信システムにおいて、仮送信と本送信の二段階に分けて送信し、受信先に予め配布した電子証明書と共に送信元のサーバにアクセスさせることで、送信先を確実に認証することができる。即ち、何かの理由により誤った宛先に仮送信文書を送ってしまったとしても、そこには重要な情報は含まれていない。また、ＱＲコード（登録商標）に送信元にアクセスさせるためのＵＲＬがエンコードされているため、一見しただけではそこにＵＲＬの情報が存在すると認識することができない。さらに、ＱＲコード（登録商標）からワンタイムＵＲＬが判明し、電子証明書の送付無くアクセスしたとしても、必ず認証に失敗し、ＵＲＬにはワンタイムＵＲＬを使用していることから、その場限りでそのＵＲＬは無効となる。また、仮送信文書に基づいて、電子証明書を送付してくる場合も考えられるが、この場合であっても、送信側で仮送信ごとに電子証明書の発行元と発行先を管理しているので、上記のような送付先が自らの電子証明書によりアクセスしてきても正しい送付先とは認証されることはない。
【００５６】
以上のように、本システムにおけるファクシミリ送信方法は非常に強固なセキュリティ性を備えたものであるといえる。さらに、このようなセキュリティ性に加えて、ファクシミリを受け取るユーザに煩雑な操作を要求することもない。
【００５７】
上記の実施形態の一部又は全部は、以下の付記のようにも記載され得るが、以下には限られない。
【００５８】
（付記１）ユーザから受け付けた宛先に送信原稿を送信する前に、当該宛先に対応する受信側装置に、当該受信側装置の電子証明書を返送させるための情報を埋め込んだ仮送信文書を生成しファクシミリで送信するコンテンツ生成部と、自装置に登録された宛先に、電子証明書を送信しておく証明書管理部と、を備える送信側装置と、前記仮送信文書を受信すると、送信元の送信側装置に対し、自装置の電子証明書を返送する受信側装置と、を含み、前記送信側装置は、前記受信側装置から返送された電子証明書により、宛先の正当性を確認できた場合、当該宛先に送信原稿をファクシミリで送信する、ファクシミリ送信システム。
【００５９】
（付記２）前記仮送信文書の本文部分に、仮送信であることを示す情報が含まれており、前記受信側装置は、本文部分に、仮送信であることを示す情報が含まれている場合に、前記送信側装置に対し、電子証明書を返送するファクシミリ送信システム。
【００６０】
（付記３）前記仮送信文書は、前記送信側装置にアクセスするためのワンタイムＵＲＬを含み、前記電子証明書の返送は、前記受信側装置がワンタイムＵＲＬにアクセスすることによって行われるファクシミリ送信システム。
【００６１】
（付記４）前記ワンタイムＵＲＬは、２次元バーコードに変換されているファクシミリ送信システム。
【００６２】
（付記５）前記証明書管理部は、電子証明書の送付履歴と、前記受信側装置から受信した電子証明書の内容と、を照合し、宛先の正当性を確認する、ファクシミリ送信システム。
【００６３】
（付記６）ユーザから受け付けた宛先に送信原稿を送信する前に、当該宛先に電子証明書を返送させるための情報を埋め込んだ仮送信文書を生成する工程と、前記仮送信文書をファクシミリで送信する工程と、前記仮送信文書を受信すると、送信元の装置に対し、予め配布された自装置の電子証明書を返送する工程と、前記電子証明書により、宛先の正当性を確認する証明書管理工程と、前記宛先の正当性が確認できた場合、当該宛先に送信原稿をファクシミリで送信する工程と、を含むファクシミリ送信方法。
【００６４】
（付記７）前記電子証明書を返送する工程は、前記仮送信文書の本文部分に、仮送信であることを示す情報が含まれている場合に、送信元の装置に対し、電子証明書を返送する、ファクシミリ送信方法。
【００６５】
（付記８）前記仮送信文書は、送信元にアクセスするためのワンタイムＵＲＬを含み、前記電子証明書を返送する工程は、前記ワンタイムＵＲＬにアクセスし、電子証明書の返送を行う、ファクシミリ送信方法。
【００６６】
（付記９）前記電子証明書を返送する工程は、２次元バーコードから前記ワンタイムＵＲＬを確認する、ファクシミリ送信方法。
【００６７】
（付記１０）前記証明書管理工程は、電子証明書の配布履歴と、宛先から受信した電子証明書と、を照合し、宛先の正当性を確認する、ファクシミリ送信方法。
【００６８】
（付記１１）ユーザから受け付けた宛先に送信原稿を送信する前に、当該宛先に電子証明書を返送させるための情報を埋め込んだ仮送信文書を生成する処理と、前記仮送信文書をファクシミリで送信する処理と、前記仮送信文書の宛先の装置から受信した電子証明書により、宛先の正当性を確認する証明書管理処理と、前記宛先の正当性が確認できた場合、当該宛先に送信原稿をファクシミリで送信する処理と、をファクシミリ装置を構成するコンピュータに実行させるプログラム。
【００６９】
（付記１２）前記仮送信文書の本文部分に、仮送信であることを示す情報を含めることにより、前記宛先の装置に対し、電子証明書を返送させる、プログラム。
【００７０】
（付記１３）前記宛先に電子証明書を返送させるための情報として、ワンタイムＵＲＬを作成して埋め込むプログラム。
【００７１】
（付記１４）前記ワンタイムＵＲＬは、２次元バーコードに変換されているプログラム。
【００７２】
（付記１５）前記証明書管理処理は、電子証明書の配布履歴と、宛先から受信した電子証明書の内容を照合し、宛先の正当性を確認する、プログラム。
【００７３】
（付記１６）ファクシミリの送信元に電子証明書を返送させるための情報を埋め込んだ仮送信文書を受信すると、前記仮送信文書から、前記ファクシミリの送信元に電子証明書を返送させるための情報を検出する処理と、前記ファクシミリの送信元に電子証明書を返送させるための情報を用いて、電子証明書を返送する処理と、をファクシミリ装置を構成するコンピュータに実行させるプログラム。
【００７４】
（付記１７）前記仮送信文書の本文部分に含まれている仮送信であることを示す情報に基づいて、前記宛先の装置に対する電子証明書の返送を実行するプログラム。
【００７５】
（付記１８）前記宛先に電子証明書を返送させるための情報として埋め込まれたワンタイムＵＲＬを用いて前記送信元に電子証明書を返送するプログラム。
【００７６】
（付記１９）ユーザから受け付けた宛先に送信原稿を送信する前に、当該宛先に対応する受信側装置に、当該受信側装置の電子証明書を返送させるための情報を埋め込んだ仮送信文書を生成しファクシミリで送信するコンテンツ生成部と、自装置に登録された宛先に、電子証明書を送信しておく証明書管理部と、を備えるファクシミリ送信装置。
【００７７】
（付記２０）ユーザから受け付けた宛先に送信原稿を送信する前に、当該宛先に対応する受信側装置に、当該受信側装置の電子証明書を返送させるための情報を埋め込んだ仮送信文書を受信すると、送信元の送信側装置に対し、自装置の電子証明書を返送するファクシミリ受信装置。
【００７８】
なお、上記の特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００７９】
１  送信元システム
２  送信先システム
３  公衆回線網
４  インターネット回線
１０  担当者ＰＣ
２０  承認者ＰＣ
３０  サーバ
３１  制御部
３１１  コンテンツ生成部
３１２  証明書管理部
３１３  送信管理部
３２  記憶部
３２１  顧客データベース
３２２  送信管理データベース
３２３  承認者データベース
３３  通信部
４０  複合機（送信機）
５０  受信用ＰＣ
６０  複合機（受信機）
【図１】
2012054690.tif 000003
【図２】
2012054690.tif 000004
【図３】
2012054690.tif 000005
【図４】
2012054690.tif 000006
【図５】
2012054690.tif 000007
【図６】
2012054690.tif 000008
【図７】
2012054690.tif 000009
【図８】
2012054690.tif 000010